(57)【要約】本発明は、特に車両用バッテリの筐体である筐体（１）をキャリアプレート（３）に固定する器具に関し、筐体（１）が複雑な操作及び道具の助けなしにプレート（３）にすばやく固定されることを可能にする。このことを実現するために、スプリングローディング（ばね付勢）された湾曲した固定部分（１０）が、キャリアプレート（３）上に置かれる筐体（１）の壁とキャリアプレート（３）から垂直に突出している取り付けエッジ（４）との間に張力を受けて挿入される。固定部分（１０）はＵ字形に湾曲していることが望ましく、取り付けエッジ（４）と協働するくさび形状面（１２）及び所定の位置で筐体を固定する係合要素（１７、２６）に加えて、キャリアプレート（３）の開口部（７）を用いて筐体（１）のベースを把持するフック形状部分（２７）を含む。
2006521235.tif 000002
【特許請求の範囲】
【請求項１】
特に車両用バッテリの筐体である筐体をキャリアプレートに固定する器具であって、スプリングローディング（ばね付勢）された湾曲した固定部分（１０）が、前記キャリアプレート（３）上に置かれた前記筐体（１）の壁と前記キャリアプレート（３）から垂直に突出している取り付けエッジ（４）との間に張力を受けて挿入されることを特徴とする器具。
【請求項２】
前記固定部分（１０）が弾力性のある材料からＵ字形に湾曲され、前記筐体の壁と前記キャリアプレート（３）の前記取り付けエッジ（４）との間へ前記固定部分（１０）が挿入されることに続いて、前記Ｕ字の前記第１の脚部（１１）が前記取り付けエッジ（４）に押し当たり、前記Ｕ字の前記第２の脚部（１８）が広がり張力を受けて前記筐体壁に押し当たることを特徴とする請求項１記載の器具。
【請求項３】
前記取り付けエッジ（４）が勾配をつけられた内面（５）を呈し、頂部に向かってくさび状に狭くなっていて、前記取り付けエッジ（４）に押し当たるようになる前記Ｕ字の前記第１の脚部（１１）の自由端が、前記取り付けエッジ（４）の前記くさび状に補完的な形状でくさび状に内側に湾曲するのが適当であり、前記筐体壁に面する前記Ｕ字の前記第２の脚部（１８）がフック状部分（２７）をその自由端において有し、前記フック状部分（２７）が前記Ｕ字の前記第１の脚部（１１）の前記くさび状の湾曲した端部を越えて突出しかつ前記キャリアプレート（３）の開口部（７）を介して前記キャリアプレート（３）の下で係合するようになされ得ることを特徴とする請求項２記載の器具。
【請求項４】
先端面取り部分（２２）を備えた厚くなっている部分（２１）が、前記Ｕ字の前記第２の脚部（１８）の前記端部領域に構成され、前記固定部分（１０）が前記筐体壁と前記取り付けエッジ（４）との間に挿入される場合に、前記先端面取り部分（２２）が前記筐体壁に構成された段（２）の勾配をつけられた表面に押し当たるようになることを特徴とする請求項２記載の器具。
【請求項５】
水平の接触面（６）が、前記くさび状の取り付けエッジ（４）の前記端部上に構成され、前記取り付けエッジ（４）の前記接触面（６）に押し当たるようになされ得る水平の突合せ面（１３）が、前記Ｕ字の前記第１の脚部（１１）の前記くさび状の内側に湾曲している端部上に構成されることを特徴とする請求項３記載の器具。
【請求項６】
前記Ｕ字の前記第１の脚部（１１）の前記くさび状の湾曲した端部の前記内側部分（１５）が垂直に通っていて、前記固定部分（１０）の前記Ｕ字の前記反対側の脚部（１８）上に配置される鋸歯（２６）と係合するようになされ得るラッチの取っ手（１８）が前記垂直部分（１５）の前記端部に設けられることを特徴とする請求項３記載の器具。
【請求項７】
角をなす弾力性のあるばね付勢可能なタブ（１６）が、前記垂直部分（１５）の前記端部上に形成されることを特徴とする請求項６記載の器具。
【請求項８】
前記Ｕ字の前記第２の脚部（１８）の前記終端が内部の細長い小環（１９）を用いて補強され、前記フック状の部分（２７）が前記小環（１９）に固定されることを特徴とする請求項３記載の器具。
【請求項９】
前記フック状部分（２７）が２重の壁で作られ、仕切りを用いて内部でチャンバー（２８）に再分割されていることを特徴とする請求項３記載の器具。
【発明の詳細な説明】
【技術分野】
【０００１】
本発明は、特に車両用バッテリの筐体である筐体をキャリアプレートに固定する器具に関する。
【背景技術】
【０００２】
車両用バッテリの筐体は、基本的に立方形状である。通常、車両用バッテリの筐体は、スプリングローディングされた（ばね付勢）方法で湾曲している一端を用いてキャリアプレート上に設置され、バッテリの筐体の側壁の段の後ろで把持する。筐体の反対側の側壁も段を示し、こちら側のキャリアプレートが筐体のベースを越えて突出している。キャリアプレート上で筐体を固定するために、Ｓ字型のリーフスプリングの一端が、固定フランジとして該段上の所定の位置までもたらされ、一方、その他端が突出しているキャリアプレート上にある。リーフスプリングの平らな中間部分及びキャリアプレートの突出部分を貫通するボルトが、ロックナットで固定されている。この種の固定は扱いにくく、一連の操作を必要とし、道具を用いてだけ実施することができる。例えば、バッテリの取替えが必要になる場合、この種の固定は再び緩められなければならず、そのことを行うために費やされる時間の合計は、相当のものであって、余分にかかる費用の要因となる。ヨーロッパガイドラインに基づくフランジ及びボルトのリサイクリングが更なる問題となる。
【発明の開示】
【発明が解決しようとする課題】
【０００３】
本発明の目的は、特に車両用バッテリの筐体である筐体をキャリアプレートに固定する器具を提供することである。それは、筐体が、複雑な操作なしにかつ道具の助けを借りずに支持部に固定されることを可能にし、さらに簡単にかつすばやく取り外されることを可能にする。できるだけ、廃棄される部分が、筐体またはバッテリの繰り返しの交換で生ずるべきではない。
【発明を解決するための手段】
【０００４】
本発明によれば、このことは、スプリングローディングされた湾曲した固定器具が、キャリアプレート上に置かれた筐体の壁とキャリアプレートから垂直に突出している取り付けエッジとの間に張力を受けて挿入されることにより実現される。このことは複雑な操作なしにかつ道具の助けを借りずに行われ得る。張力を与えられた固定部分が筐体上で広がり作用を利用して、キャリアプレートの取り付けエッジがキャリアプレート上の筐体を保持する。
【０００５】
固定部分は、弾力性のある材料からＵ字形に曲げられることが望ましい。筐体壁とキャリアプレートの取り付けエッジとの間に固定部分を挿入することに続き、Ｕ字の１つの脚部が取り付けエッジに押し当たり、Ｕ字のもう１つの脚部が広がり張力を受けて筐体壁に押し当たる。
【０００６】
本発明の好適実施例によれば、取り付けエッジは、勾配のついた内面を示し、それはくさび状に頂部に向かって狭くなっている。Ｕ字の第１の脚部の自由端は、取り付けエッジに押し当たるようになっていて、取り付けエッジのくさび形を補完する形状でくさび状に内側に向かって次第に細くなっているのが適当である。Ｕ字の第２の脚部は、筐体壁に面していて、フック状の部分をその自由端において支える。フック状の部分は、Ｕ字の第１の脚部のくさび状に湾曲した端部を越えて突出し、キャリアプレートの開口部を介してキャリアプレートの下で係合するようになされてもよい。取り付けエッジの補完的なくさび状の設計及びそれに押し当たるようになるＵ字の脚部の端部の結果として、第１に、取り付けエッジと筐体壁との間の固定部分の挿入が簡単になり、第２に、筐体の下で把持するフック状の部分とともに、それらがその端部位置における固定部分の確実な配置並びに有効な保持動作及びキャリアプレート上での筐体の確実な保持を意味する高度な広がり作用を確実にする。
【０００７】
先端面取り部分のある厚くなっている部分が、Ｕ字の第２の脚部の端部領域に設けられてもよい。それにより、固定部分が筐体壁と取り付けエッジとの間に挿入されると、次に、この先端面取り部分が筐体壁に構成された段の勾配のついた面に押し当たるようになる。このことも、その端部位置における固定部分の安定して確実な配置に寄与する。
【０００８】
水平の接触面が、くさび状に次第に細くなっている取り付けエッジの端部で構成されることが望ましい。同様に、取り付けエッジの接触面上にあるようになされ得る水平の突合せ面が、Ｕ字の第１の脚部のくさび形の内側に湾曲した端部上に構成される。このことは、取り付けエッジと筐体壁との間に固定部分を挿入する間役に立つ。最初に固定部分が、保持部分と筐体壁との間の位置にもたらされてそこでＵ字の第１の脚部のつき合わせ面が取り付けエッジの接触面に押し当たり、フック状の部分がキャリアプレートにそのために設けられた開口部を介してすでに突出しているが、筐体の下でまだ把持していない。次に固定部分がその締め付け端部位置へもたらされる。それによって、Ｕ字の脚部のくさび形の表面が取り付けエッジの表面の上で滑るように動き、このようにして、フック状の部分が筐体の下で係合するようになることを利用して、運動構成要素が作られる。同時に、この運動がＵ字形の固定部分の張力を引き起こす。
【０００９】
Ｕ字の第１の脚部のくさび状の湾曲した端部の内側部分は垂直に通っていることが望ましい。垂直部分の端部にラッチの取っ手１７が設けられ、それは固定部分の端部位置において、Ｕ字の第２の反対側の脚部の上に配置される鋸歯と係合するようになる。よって、その締め付け端部位置から固定部分が過失により緩むことが防止されて、保持がさらに確実にされる。
【００１０】
筐体がキャリアプレートから取り外されるべきとき、例えば、車両用バッテリの取り外しが必要である場合に、保持はわずかの操作で取り外せるほど容易であるべきである。そのためＵ字の第１の脚部のくさび状に湾曲した端部の内側垂直部分の端部に、角をなす弾力性のあるばね付勢可能なタブが設けられる。それによってこの垂直部分が移動されて、そのラッチの取っ手がＵ字の第２の脚部上の鋸歯との係合から移動させられる。さらに、Ｕ字形の固定部分の張力が緩むと、Ｕ字の第１の脚部が、その突合せ面が取り付けエッジの接触面に押し当たっている中間位置へ戻る。それと関連して、フック状の部分も筐体の下でその係合から緩み、固定部分が取り外されその後再利用され得ることが便利である。
【００１１】
Ｕ字の第２の脚部の端部が内部の細長い小環（eye）を用いて補強されてもよい。さらにそのときフック状の部分がこの小環に固定されてもよい。フック状の部分が二重の壁でできていて、仕切り板を用いて内部でチャンバーへ更に分割されていることが望ましい。このようにして、それが荷重を受けて寸法安定度及び機械的安定度を増し、その機能性が改善される。
【００１２】
本発明は、例として添付図面の助けを借りて以下により詳細に説明される。
【発明の実施するための形態】
【００１３】
車両用バッテリの筐体１の一部が図１に概略的に示されている。それは、先行技術において公知であるように、わずかに先細に設計されていることが望ましいそのベースの側面に及ぶ段２を含む。筐体１は、段側で筐体１を越えて突出して図において断面方法で示されているキャリアプレート３の上に置かれる。キャリアプレート３は、垂直に突出していて一体型でキャリアプレート３上に形成されることが望ましい取り付けエッジ４を含むが、何か他の方法で固定される方法でキャリアプレートに接続されてもよい。こちら側で、取り付けエッジ４が、キャリアプレート３上に置かれたバッテリから一定の間隔を維持している。バッテリに面している取り付けエッジ４の内面５が勾配を有していて、示した断面では、取り付けエッジ４が、その自由エッジ上に形成されている水平の接触面６の方へくさび状に狭くなる。筐体１を越えて突出するキャリアプレート（ママ）の一部に開口部７があり、示された側面図では開口部７は、取り付けエッジ４と筐体壁との間に広がり、より詳細に以下に説明される固定部分１０に構成されているフック状の部分２７が開口部７を貫通するような寸法になされている。取り付けエッジ４の延長部分として反対方向に伸びるエッジ８を利用して、フック状の部分２７がその中へ突出し得る空間９が、保持プレート３の下に生成される。
【００１４】
最初に、固定部分１０（図４を参照せよ）はばね機能材料でできていてＵ字形に湾曲している一片の材料からなっている。その端部で、Ｕ字の１つの（第１の）脚部が、取り付けエッジ４のくさび形状に補完的な方法でくさび状に先細になっている。さらに該脚部が内側に湾曲して、先端面取り部分１２、水平の突合せ面１３及びＵ字の折れ曲がり部１４において垂直に整列している部分１５が固定部分１０上で生ずるものである。角を成す弾力性のばね付勢可能なタブ１６が垂直部分１５の端部に形成され、それは反対側の脚部１８の方を示すラッチの取っ手１７を垂直部分１５の線形延長部分の上側端部において示す。
【００１５】
固定部分１０のＵ字の第２の脚部１８がその自由端で直角に２回折れて、Ｕ字の折れ曲がり部１４の方に曲がる細長い長方形の小環１９が生じる。その端部において、小環１９の外壁は、増された先細２０を利用して厚くなっている部分２１へ遷移する。厚くなっている部分２１から先端面取り部分２２が小環１９の水平な狭い側２３へ遷移する。固定リンク１０のＵ字の折れ曲がり部１４に面する小環１９の狭い側が、横ウェブ２４によって遮断される。横ウェブ２４から、直角にかつ小環１９から間隔をとって、外面を有する壁２５が伸びている。それは、Ｕ字の第１の脚部１１の垂直部分１５及びタブ１６で垂直に通っていてかつその線形延長部へ遷移する鋸歯２６が設けられる。
【００１６】
Ｕ字の第２の脚部１８の自由端にほぼ対向する小環１９の狭い側２３の下に、外側を向けかつＵ字の第１の脚部１１の下に伸びるフック状の部分２７へ壁２５が遷移する。図示した実施例によれば、このフック２７が２重の壁を備えた中空に構成され、補強のために、仕切りによって内部でチャンバー２８へさらに分割される。図示した側面図では、３つのチャンバー２８があり、それらは直角に配置されている。１つのチャンバー２８の外壁が、小環１９の狭い側２３と一定の方法で接続されている。
【００１７】
車両用バッテリの例を用いると、図１乃至図３は、車両用バッテリが固定部分１０の助けを借りてキャリアプレート３に固定され得ることを示す。その点において、バッテリ用筐体１及びバッテリプレート３が、固定部分１０が用いられる側面がわかるような方法で断面でだけ形成されている。
【００１８】
図１には、固定手順の初めにまだその完全に緩んだ状態での固定部分１０が示されている。それによって、バッテリ筐体１が、図示された側で、バッテリ筐体１がその段２とともにキャリアプレート３の開口部７を自由なままにして取り付けエッジ４から間隔を維持するといった方法で、キャリアプレート３上にすでに配置されている。取り付けエッジ４から間隔が、図３に示したように開口部７を介してそれが方向づけられるべき場合に固定部分１０上へ形成されるフック状の部分２７がスライドして通り越すことを可能にする。図示していない筐体１の側面で、段部分がキャリアプレート２の同様に構成された取り付けエッジに押し当たっているのがわかるべきである。このように、固定部分１０がＵ字のその第２の脚部１８及びその上に取り付けられたフック２７がバッテリ筐体１に面している位置にもたらされる。フック２７がバッテリ筐体１及びキャリアプレート３の取り付けエッジ４との間にもたらされ、固定部分１０がなお緩んだ状態で、Ｕ字の第１の脚部のくさび状に湾曲した端部の上に構成された突合せ面１３が、取り付けエッジ４の接触面に当たるまで下げられる。
【００１９】
固定部分１０が、そのフック２７がキャリアプレート３の開口部７を介して空間９の中へ突出するまで、Ｕ字の第２の脚部１８が下方へ移動させられるように張力が与えられてもよい。次に固定部分１０が全体として、フック２７がキャリアプレート３の下で把持するような方法でバッテリ筐体１上へ移動させられて、Ｕ字の第２の脚部１８の厚くなっている部分２１上に構成された先端面取り部分２２において、バッテリ筐体１の先細にされた段２の上に位置する。さらにＵ字の第１の脚部１１が取り付けエッジ４の接触面６からその突合せ面１３を用いて滑るように動く。Ｕ字の第１の脚部１１がここで下方に押されて、さらに固定部分１０に張力をかける。締め付け作用が筐体１と取り付けエッジ４との間の固定リンク１０で生ずるまで、くさび状に湾曲した端部を備えたその端部が、取り付けエッジ４の補完的に傾斜した内面５に沿って、その外側の先端面取り部分１２を用いて下方に滑るように動いてもよい。それと関連して、Ｕ字の第１の脚部１１の湾曲した端部の垂直部分１５上のラッチの取っ手１７が、Ｕ字の第２の脚部１８上の内側の鋸歯２６と係合して、固定部分１０がこの張力がかかって締め付けている状態でロックされて、独りでには緩み得ない。締め付け作用が、Ｕ字の第１の脚部１１の端部のスプリングローディングされた湾曲とともに、フック状の部分２７の、２重壁及びチャンバー２８への再分割といった構成によって効果的に補助される。
【００２０】
固定部分１０の助けを借りて、このようにして筐体１が、いくつかの簡単な操作で道具を用いることなく、すばやく大変しっかりとキャリアプレート３上にマウントされ得る。筐体１が、場合によっては車両用バッテリの取り外しの間取り外される場合、それは締め付けられた保持から大変簡単に緩められ得る。そうするために、Ｕ字の第１の脚部１１の内側に湾曲した端部上の角をなすタブ１６が移動されて、ラッチの取っ手１７がＵ字の第２の脚部１８上の鋸歯２６とのその係合から開放される。その後、Ｕ字形の固定部分１０の張力も開放することができ、Ｕ字の第１の脚部１１が上方へ移動され得る。それによって取り付けエッジ４の補完的な内面５に沿ってくさび状の湾曲を用いて先端面取り部分１２がその端部を滑るように動いて、固定部分１０の締め付け作用が解除され、次に筐体１が取り外され得る。
【図面の簡単な説明】
【００２１】
【図１】車両用バッテリの例を用いた、筐体用の進歩性のある固定器具の側面図及び固定の手順を示す。
【図２】車両用バッテリの例を用いた、筐体用の進歩性のある固定器具の側面図及び固定の手順を示す。
【図３】車両用バッテリの例を用いた、筐体用の進歩性のある固定器具の側面図及び固定の手順を示す。
【図４】１：１縮尺比の固定部分の側面図を示す。
【図１】
2006521235.tif 000003
【図２】
2006521235.tif 000004
【図３】
2006521235.tif 000005
【図４】
2006521235.tif 000006
【国際調査報告】
2006521235.tif 000007
2006521235.tif 000008
2006521235.tif 000009
2006521235.tif 000010